(57)【要約】【課題】書籍販売形態時には書籍と記録媒体とが組み合わされ、購入者にあっては記録媒体が保護された状態で必要に応じて単独で取り扱えるようにし、記録媒体の使用形態を損なわないブックケースを得る。【解決手段】ブックケース１を、ブックケース本体２と、ブックケース本体２の側面板５に折曲切取部１４を介して回動可能にして、かつ分離可能に連接されてブックケース本体２の側面板５の外表面に重ね合わされる記録媒体の収納ケース３とを備えるものとし、必要に応じてブックケース本体２から記録媒体を収めた収納ケース３を分離できるようにした。【選択図】    図１
2005231207.tif 000002
【特許請求の範囲】
【請求項１】
ブックケース本体と、このブックケース本体の側面板における出し入れ口側の端縁に切り取りミシン目を穿設してなる折曲切取部を介して回動可能にして、かつ分離可能に連接されてブックケース本体の前記側面板の外表面に重ね合わされるＣＤ−ＲＯＭなどの記録媒体の収納ケースとを備え、
前記収納ケースは、前記折曲切取部を介して前記側面板に連続するケース第一側面板と、このケース第一側面板における前記折曲切取部とは反対側の端縁に折り部を介して連続してケース第一側面板に折り合されたケース第二側面板とからなり、前記ケース第一側面板とケース第二側面板とを折り合わせて相対した上下端部それぞれを綴じ合わせて、ケース第一側面板とケース第二側面板との間に、前記折り部とは反対側を記録媒体出し入れ口とする記録媒体収納部を設けたことを特徴とするブックケース。
【請求項２】
上記収納ケースの折り部位置に、ブックケース本体に係脱可能に係止して収納ケースのブックケース本体に対する重ね合わせ状態を維持する係止手段が設けられている請求項１に記載のブックケース。
【請求項３】
上記収納ケースの上端部高さ位置がブックケース本体の天面高さ位置より下位にあり、収納ケースの下端部高さ位置がブックケース本体の底面高さ位置より上位にある請求項１または２に記載のブックケース。
【発明の詳細な説明】
【技術分野】
【０００１】
本発明は辞書、辞典などの書籍を収納するブックケースに関するものである。
【背景技術】
【０００２】
近年、辞書や辞典などの書籍においては、ＣＤ−ＲＯＭなどの記録媒体にその書籍の取り扱い方情報、書籍の掲載内容に関連した静止画や動画、音声情報などを記録してこれを書籍と組み合わせて販売されるようになってきている。そして、書籍と前記記録媒体との組み合わせに際しては、書籍を収納するブックケースの一枚の側面板の出し入れ口側を延設し、その延設部分の板材をブックケース内に折り入れるようにして位置させて、前記一枚の側面板と延設板材との間にＣＤ−ＲＯＭを収納する部分を設けるようにしたものが提案されていた（例えば、特許文献１参照）。
【特許文献１】実用新案登録第３０７３６８０号公報（段落番号０００８、図２）
【発明の開示】
【発明が解決しようとする課題】
【０００３】
ところで、上記記録媒体からはパソコンに搭載の読み出し装置にこの記録媒体をセットして情報を得ることができるものであり、記録媒体を読み出し装置から取り出しても再セットし易いようにパソコンの近くに置くなどの使用形態になり易い。しかしながら、上記ブックケースではこのブックケースの構成面の一つである側面部自体を二重化してその間に記録媒体を収納する構造であり、収納部分を分離することができない。そのため、利用者は絶えず記録媒体と書籍とを組み合わせた状態でその記録媒体を保管管理しなければならず、記録媒体を単独で保護した状態で保管管理できないという不都合が合った。
そこで本発明は上記事情に鑑み、書籍販売形態時には書籍と記録媒体とが組み合わされ、これを購入した使用者側にあっては記録媒体が保護された状態で単独で取り扱えるようにすることを課題とし、記録媒体の使用形態を損なわないブックケースを得ることを目的とするものである。
【課題を解決するための手段】
【０００４】
本発明は上記課題を考慮してなされたもので、ブックケース本体と、このブックケース本体の側面板における出し入れ口側の端縁に切り取りミシン目を穿設してなる折曲切取部を介して回動可能にして、かつ分離可能に連接されてブックケース本体の前記側面板の外表面に重ね合わされるＣＤ−ＲＯＭなどの記録媒体の収納ケースとを備え、前記収納ケースは、前記折曲切取部を介して前記側面板に連続するケース第一側面板と、このケース第一側面板における前記折曲切取部とは反対側の端縁に折り部を介して連続してケース第一側面板に折り合されたケース第二側面板とからなり、前記ケース第一側面板とケース第二側面板とを折り合わせて相対した上下端部それぞれを綴じ合わせて、ケース第一側面板とケース第二側面板との間に、前記折り部とは反対側を記録媒体出し入れ口とする記録媒体収納部を設けたことを特徴とするブックケースを提供して、上記課題を解消するものである。
【０００５】
そして、上記収納ケースの折り部位置に、ブックケース本体に係脱可能に係止して収納ケースのブックケース本体に対する重ね合わせ状態を維持する係止手段が設けられていることが良好である。また、上記収納ケースの上端部高さ位置がブックケース本体の天面高さ位置より下位にあり、収納ケースの下端部高さ位置がブックケース本体の底面高さ位置より上位にあることが良好である。
【発明の効果】
【０００６】
本発明によれば、ブックケース本体に対して折曲切取部を介して収納ケースが連接されているので、書籍を購入した使用者側は必要に応じて収納ケースをブックケース本体から分離でき、ブックケース本体と関係なく記録媒体を収納ケースに収納した状態で簡単に取り扱えるようになる。また、収納ケースを分離していない書籍販売時などでは収納ケースをブックケース本体の側面板の外表面にこの収納ケースを重ね合わせることができ、書籍を収めたブックケースの形状が損なわれることがなく、書籍の商品性を損なうことがない。さらに、収納ケースはケース第一側面板とケース第二側面板とを重ね合わせて、上下端部を綴じ合わせた簡易な構造であり、ブックケースの製造が困難なものにはならないなど、実用性に優れた効果を奏するものである。
【０００７】
また、収納ケースに、ブックケース本体に対する重ね合わせ状態を維持する係止手段を設ければ、ブックケース本体と収納ケースとの組み合わせ形状が安定し、ブックケース全体の取り扱いが容易になる。
さらに、上記収納ケースの上端部高さ位置をブックケース本体の天面高さ位置より下位にし、収納ケースの下端部高さ位置をブックケース本体の底面高さ位置より上位にすれば、書籍を入れたブックケース本体が仮にわずかに胴膨れした状態となっても、収納ケースの上下端部とブックケース本体の側面板との間で生じる隙間がそれ程大きくならず、ブックケースの形態を損なわないとともに、ブックケースと取り扱うときでも不用意に指先などが収納ケースの上下端部に引っ掛り易くなるという不具合をより確実に防止できる。さらに加えて、ブックケース本体の収納部分内の天地寸法より収納ケースの天地寸法を小さくすることで、一旦ブックケース本体から分離した収納ケースを、書籍が入っているブックケース本体の側面板とその書籍との間に簡単に挿し入れることができ、分離した収納ケースを書籍とともにブックケース本体に収め入れておくことも可能となる。
【発明を実施するための最良の形態】
【０００８】
つぎに本発明を図１から図６に示す実施の形態に基づいて詳細に説明する。
図中１はブックケースで、該ブックケース１は、書籍Ａを出し入れできるように収納するブックケース本体２と、ＣＤ−ＲＯＭなどの記録媒体Ｂを収納する収納ケース３とからなるものである。前記ブックケース本体２は書籍Ａを出し入れできるように一側方を出し入れ口４として開口しており、図６の展開状態で示すように二枚の側面板５、６の間に正面板７が折り部８を介して連接されて、前記二枚の側面板５、６が相対し、そして、前記側面板５、６及び正面板７それぞれの上端縁に折り部８を介して連接された天面構成片９を組み合わせてブックケース本体２の天面板１０が形成され、また、側面板５、６及び正面板７それぞれの下端縁に折り部８を介して連接された底面構成片１１を組み合わせて底面板１２が形成される。このブックケース本体２自体の構成は通常のブックケースと同様である。
【０００９】
上記収納ケース３は、上記ブックケース本体２の一方の側面板５における出し入れ口４側の端縁に切り取りミシン目１３を穿設してなる折曲切取部１４を介して回動可能にして、かつ分離可能に連接され、前記側面板５の外表面に重ね合わされることができるようにしているものである。
この収納ケース３は二枚の板材を重ねて所定部分を貼り合わせたものであり、図２に示されているように、前記折曲切取部１４を介して側面板５に連続するケース第一側面板１５と、このケース第一側面板１５における折曲切取部１４とは反対側の端縁に折り部１６を介して連続してケース第一側面板に折り合されたケース第二側面板１７とからなる。そしてケース第一側面板１５を前記側面板５に重ねるときに外方となる面に前記ケース第二側面板１７が重なるようにしてこのケース第一側面板１５とケース第二側面板１７とを折り合わせ、相対した上下端部それぞれを接着剤１８を介して綴じ合わせて薄型のケース形状にし、ケース第一側面板１５とケース第二側面板１７との間に記録媒体Ｂを収納する媒体収納部１９が形成され、この媒体収納部１９の記録媒体出し入れ口２０を折り部１６とは反対側に、即ち、上記ブックケース本体２の出し入れ口４と同じ側に配置している。
【００１０】
この収納ケース３のケース第一側面板１５とケース第二側面板１７との記録媒体取り出し口２０側の対向面それぞれには、互いに離接可能に接合する弱接着剤からなる間口規制手段２１が位置していて、記録媒体取り出し口２０を人が積極的に開かない場合に間口規制手段２１の弱接着剤相互が接合して、記録媒体取り出し口２０でのケース第一側面板１５とケース第二側面板１７との非接合部分の幅が記録媒体Ｂの外径より小さくなるようにしている。これによって収納ケース３を後述のように単独で、また収納ケース３とブックケース本体２とをともに取り扱うときに、媒体収納部１９に収納している記録媒体Ｂが不用意に抜け出ることがないようにしている。また、記録媒体Ｂを人が出し入れするために前記記録媒体出し入れ口２０を開くようにすれば、弱接着剤同士は簡単に離れて間口規制手段２１による規制がなくなり、記録媒体Ｂの出し入れが容易に行なえる。この間口規制手段２１の位置は、記録媒体Ｂを出し入れするときにその記録媒体Ｂの情報記録面に接することのない位置を選択するようにする。
なお、収納ケース３でのケース第一側面板１５とケース第二側面板１７とを重ね合わせて所要部分を接着剤にて貼り合わせているので、ケース第一側面板１５とケース第二側面板１７との挟み込みによる記録媒体Ｂへの保持は適正に行われるので、上記間口規制手段２１は必ずしも必要としない。
【００１１】
上記収納ケース３は、上述したようにブックケース本体２の側面板５に折曲切取部１４を介して連接されているため、この折曲切取部１４を中心にして回動可能であり、また、側面板５の外表面に重ね合わせておくこともできる。そして、この収納ケース３において、側面板５への重ね合わせ状態を必要に応じて維持できるようにするために、ケース第一側面板１５の折り部１６側の辺部を切り起こして折り部１６の位置を基端とした係止舌片からなる係止手段２２が設けられている。この係止手段２２が位置する前記折り部１６は、収納ケース３をブックケース本体２の側面板５に重ね合わせたときにその側面板５と正面板７との間の折り部８の位置に対応していて、前記係止手段２２はその折り部８に切り込まれた係止スリット２３に係脱可能に係止するものであり、この係止手段２２をブックケース本体２の前記係止スリット２３に挿し入れて係止させることで、側面板５の外表面に収納ケース３を重ね合わせた状態が維持され、ブックケース１を取り扱うときにこの収納ケース３が不用意に側面板５から離れる方向での回動が生じないようにしている。勿論、使用者がこの収納ケース３の折り部１６側をブックケース本体２から離れるように引けば、前記係止手段２２は係止スリット２３から抜け出て、折曲切取部１４を中心にして開くようにこの収納ケース３を回動させることができるようになる。
ブックケース本体２の上記側面板５と収納ケース３のケース第一側面板１５との対向面２４それぞれは、上述の収納ケース３の側面板５からの開きによって使用者が目視できる部分である。この対向面２４には、書籍Ａに関する説明情報の他に記録媒体Ｂや収納ケース３などの取り扱い情報が設けられている。
【００１２】
上述したように収納ケース３はブックケース本体２の側面板５の出し入れ口４側の端縁に折曲切取部１４を介して分離可能に連接されていることから、使用者はブックケース本体２の側面板５に重ね合されている状態から前記折曲切取部１４を中心にして収納ケース３を開き、ブックケース本体２と収納ケース３とを互いに逆方向に引っ張ることで、収納ケース３を折曲切取部１４の位置でブックケース本体２から分離できる。これによって記録媒体Ｂを収納した収納ケース３は単独で取り扱えるようになり、例えば記録媒体Ｂをパソコンの読み出し装置に頻繁にセットするような場合、ブックケース全体をパソコンの側に置く必要がなく、収納ケース３は記録媒体Ｂの保護体として使用し易い単体のケースとなる。
【００１３】
収納ケース３は図４に示されているようにこの収納ケース３の天地寸法はブックケース本体２の天地寸法より小さいものであって、収納ケース３の上端部２５の高さ位置２５ｈがブックケース本体２の天面板１０の高さ位置１０ｈより下位にあり、収納ケース３の下端部２６の高さ位置がブックケース本体２の底面板１２の高さ位置１２ｈより上位にある。このため、書籍Ａを入れたブックケース本体２が仮にわずかに胴膨れした状態となり、収納ケース３の上端部２５や下端部２６の高さ位置２５ｈ、２６ｈがブックケース本体２の天面板１０、底面板１２の高さ位置１０ｈ、１２ｈに揃っていたときには、図５に示すように収納ケース３とブックケース本体２との間の隙間２７が若干開いてその隙間２７が目立ってブックケース１の外観を損ない易くなり、ブックケース１を手で扱うときにも収納ケース３の上端部２５や下端部２６に指先が引っ掛かり易くなるが、本実施例ではブックケース本体２が胴膨れしても前記隙間２７はそれ程大きくならず、ブックケース１の形態を損なわないとともに、ブックケース１と取り扱うときでも不用意に指先などが収納ケース３の上下端部２５、２６に引っ掛り易くなるという不具合をより確実に防止できるようになる。また、ブックケース本体２の天地寸法（収納部分内の天地寸法）より収納ケース３の天地寸法を小さくしているため、一旦分離した収納ケース３を、書籍とともにブックケース本体２に収納したり、書籍が収納されている状態のブックケース本体の側面板とその書籍との間にこの収納ケース３を挿し入れることもできる。
実施の形態において収納ケース３の上端部２５と下端部２６とはそれぞれ傾斜して収納ケース３の記録媒体取り出し口２０側の天地寸法より折り部１６側の天地寸法が小さく、上記上端部２５の高さ位置２５ｈと下端部２６の高さ位置２６ｈとは天地寸法が大きい記録媒体取り出し口２０側のものである。このように傾斜させるとで、分離した収納ケース３を書籍と隣り合わせる形でブックケース本体により一層差し入れ易くなる。
なお、実施の形態において記録媒体は円盤状のものとして示されているが、本発明のブックケースが取り扱う記録媒体は円盤状に限定されず、ＦＤなどの四角形状のものであってもよい。
【図面の簡単な説明】
【００１４】
【図１】本発明に係るブックケースの一例を示す説明図である。
【図２】収納ケースを折曲切取部を中心にして回動させた状態を示す説明図である。
【図３】収納ケースを分離した状態を示す説明図である。
【図４】収納ケースのブックケース本体の側面板への重ね合わせを示すもので、（イ）はブックケース本体の正面板側から見た状態で示す説明図、（ロ）は収納ケース側から見た状態で示す説明図である。
【図５】収納ケースの上端部側のブックケース本体に対する重ね合わせを天面板側から見た状態で示す説明図である。
【図６】一例を展開した状態で示す説明図である。
【符号の説明】
【００１５】
１…ブックケース
２…ブックケース本体
３…収納ケース
４…出し入れ口
５、６…側面板
８、１６…折り部
１４…折曲切取部
１５…ケース第一側面板
１７…ケース第二側面板
１９…媒体収納部
２０…記録媒体出し入れ口
２２…係止手段
２５…上端部
２６…下端部
２７…隙間
Ａ…書籍
Ｂ…記録媒体
【図１】
2005231207.tif 000003
【図２】
2005231207.tif 000004
【図３】
2005231207.tif 000005
【図４】
2005231207.tif 000006
【図５】
2005231207.tif 000007
【図６】
2005231207.tif 000008